(57)【要約】【課題】他の同期電動機の遮断器の状態を取り込み、接地個所の数により整定値を換えて最適な地絡保護をする地絡過電流保護継電装置を提供する。【解決手段】同期電動機の一方は地絡過電流保護継電装置を介して接地されており、前記同期電動機の他方は遮断器を介して変圧器に接続されている回線を多数有する回線の地絡事故を検出する地絡過電流保護継電装置において、他回線の遮断器の状態信号を取り込む手段と、その状態信号により地絡時の地絡電流の分流分を考慮した整定値に変更する手段を備えている。このように他の同期発電機の遮断器の状態を取り込み、接地箇所の数により整定値を換えることで最適な地絡保護をする地絡過電流保護継電装置を提供できる。【選択図】  図１
2004187425.tif 000002
【特許請求の範囲】
【請求項１】
同期電動機の一方は地絡過電流保護継電装置を介して接地され、前記同期電動機の他方は遮断器を介して変圧器に接続されている回線を、多数有する回線の地絡事故を検出する地絡過電流保護継電装置において、他回線の遮断器の状態信号を取り込む手段と、その状態信号により地絡時の地絡電流の分流分を考慮した整定値に変更する手段を備えたことを特徴とする地絡過電流保護継電装置。
【請求項２】
請求項１記載の地絡過電流保護継電装置において、その状態信号により地絡時の地絡電流の分流分を考慮した整定値に変更する手段は、遮断器の閉状態により接地箇所を演算し、その接地数に対応する整定値を算出する整定値設定モジュールであることを特徴とする地絡過電流保護継電装置。
【発明の詳細な説明】
【０００１】
【発明の属する技術分野】
本発明は、同期電動機の中性点に設置される地絡過電流継電装置に関する。
【０００２】
【従来の技術】
系統に設けられた変圧器の励磁突入電流で地絡過電流継電器が誤動作するのを防止し、かつ実際の系統事故時には迅速確実に保護する地絡保護方式として、例えば、特開平５−１３７２４３号公報には、変圧器の励磁突入電流で地絡過電流継電器に流れた最大電流を記憶しておき、この記憶した最大電流に基づいて地絡過電流継電器の整定値を自動整定し、変圧器の励磁突入状態のときはこの自動整定値で地絡過電流継電器が動作するようにしてこの地絡過電流継電器が誤動作しないようにすると共に、系統事故時は確実に地絡過電流継電器が動作するようにした地絡保護方式が開示されている。
【０００３】
また、同期発電機の中性点側に地絡過電流保護継電装置が設置し、地絡事故時に地絡過電流保護継電装置を動作して系統を保護する地絡保護方式も知られている。
【０００４】
このような地絡過電流保護継電装置を図２の系統図を参照して説明する。
図２において、複数の同期電動機（図では３台）４ａ、４ｂ、４ｃの一方は、それぞれ遮断器３ａ、３ｂ、３ｃ及び１台の変圧器２を介して電源１に接続されている。同期電動機４ａ、４ｂ、４ｃの他方（中性点側）は、それぞれ中性点接地抵抗５ａ、５ｂ、５ｃを介して大地に接地されている。中性点接地抵抗５ａ、５ｂ、５ｃと接地との間には、計器用変流器６ａ、６ｂ、６ｃが設置されており、それぞれの計器用変流器６ａ、６ｂ、６ｃには地絡過電流継電器７ａ、７ｂ、７ｃが接続されている。
【０００５】
例えば、ａ回線のＰ点で地絡事故ＥＦが発生すると、地絡電流Ｉｇ  が大地を経て地絡過電流継電器７ａに流れ、地絡過電流継電器７ａが動作し、遮断器３ａを遮断するように構成されている。
【０００６】
【発明が解決しようとする課題】
同期電動機が１台接続されている系統においては、地絡電流Ｉｇ  は、その同期電動機の中性点を介して流れ、地絡過電流継電器の整定は、その地絡電流の３０％に整定される。しかし、前述したように、複数の同期電動機が存在し、その中性点が接地されている系統においては、地絡事故ＥＦが発生した場合、その地絡電流Ｉｇ  は、各同期電動機の中性点を介してａ回線には地絡電流Ｉｇａ，  ｂ回線には地絡電流Ｉｇｂ，  ｃ回線には地絡電流Ｉｇｃとして流れるので、前述した１台の系統における地絡過電流継電器の整定値とは異なる整定値とする必要がある。
【０００７】
本発明は上記状況に対処するためになされたもので、その課題は、他の同期電動機の遮断器の状態を取り込み、接地個所の数により整定値を換えて最適な地絡保護をする地絡過電流保護継電装置を提供することにある。
【０００８】
【課題を解決するための手段】
上記課題を達成するため、請求項１に記載の発明は、同期電動機の一方は地絡過電流保護継電装置を介して接地され、前記同期電動機の他方は遮断器を介して変圧器に接続されている回線を、多数有する回線の地絡事故を検出する地絡過電流保護継電装置において、他回線の遮断器の状態信号を取り込む手段と、その状態信号により地絡時の地絡電流の分流分を考慮した整定値に変更する手段を備えたことを特徴とする。
請求項１に記載の発明によると、他の同期発電機の遮断器の状態を取り込み、接地箇所の数により整定値を換えることで最適な地絡保護をすることができる。
【０００９】
請求項２に記載の発明は、請求項１に記載の地絡過電流保護継電装置において、その状態信号により地絡時の地絡電流の分流分を考慮した整定値に変更する手段は、遮断器の閉状態により接地箇所を演算し、その接地数に対応する整定値を算出する整定値設定モジュールであることを特徴とする。
請求項２に記載の発明によると、遮断器の閉状態により接地箇所を演算し、その接地数に対応する整定値を算出するので、正確な整定値とすることができる。
【００１０】
【発明の実施の形態】
以下、本発明の実施の形態を図を参照して説明する。
図１は本発明の一実施形態の地絡過電流保護継電装置の構成図である。
図に示すように、本実施形態の地絡過電流保護継電装置２０は、計器用変流器６より取り込んだ電動機電流を変換した電流要素Ｉを入力する入力変換器２１と、この入力変換器２１から出力されるアナログ値をディジタル値に変換するアナログ・ディジタル変換（Ａ／Ｄ）モジュール２２と、外部信号入力モジュール２４と、記憶モジュール２５と、定変更モジュール２６と、整定値設定モジュール２７と、リレー演算モジュール２８と、トリップ出力モジュール２９と、前記各モジュール２２〜２９の出力を乗せるシステムバス２３とから構成されている。
【００１１】
しかして、外部信号入力モジュール２４は、他の同期電動機の状態信号を取り込み、システムバス２３を介し記憶モジュール２５にその情報を渡す。リレー整定変更モジュール２６は、記憶モジュール２５に記憶された遮断器の状態を監視し、遮断器の閉状態により接地箇所を演算し、その接地数に対応する整定値を算出し、整定値設定モジュール２７にその整定値を送信する。整定値設定モジュール２７は、整定値変更モジュール２６より受け取った整定値を記憶モジュール２５に記憶する。リレー演算モジュール２８は、検出した電流要素Ｉ（地絡電流）と整定値を比較し、地絡電流が整定値より大きな場合は、トリップ出力モジュール２９に遮断器トリップ出力指令を送り、この遮断器トリップ出力指令を受け取ったトリップ出力モジュール２９は遮断器に遮断信号を出力する。
【００１２】
上記のように構成された本実施形態の地絡過電流保護継電装置によると、遮断器の閉状態により接地箇所を演算し、その接地数に対応する正確な整定値を算出できるので、この整定値を用いることにより接地個所の数による最適な地絡保護をすることができる。
【００１３】
【発明の効果】
以上説明したように、本発明の地絡過電流保護継電装置によれば、接地箇所の数に応じた整定値で最適な地絡保護することができる。
【図面の簡単な説明】
【図１】本発明の一実施形態の地絡過電流保護継電装置の構成図。
【図２】本発明の地絡過電流保護継電装置が適用された電力系統図。
【符号の説明】
１…電源、２…変圧器、３ａ、３ｂ、３ｃ…遮断器、４ａ、４ｂ、４ｃ…同期電動機、５ａ、５ｂ、５ｃ…中性点接地抵抗（ＮＧＲ）、６ａ、６ｂ、６ｃ…計器用変流器、７ａ、７ｂ、７ｃ…地絡過電流継電器、２０…地絡過電流保護継電装置、２１…入力変換器、２２…アナログ・ディジタル変換モジュール、２３…システムバス、２４…外部信号入力モジュール、２５…記憶モジュール、２６…リレー整定値変更モジュール、２７…整定値演算モジュール、２８…リレー演算モジュール、２９…トリップ出力モジュール。
【図１】
2004187425.tif 000003
【図２】
2004187425.tif 000004